(57)【要約】【課題】本発明は、簡易な構成で車両用空調装置の空調効率および後席乗員の快適性を向上させることを目的とする。【解決手段】車室内前方に配置された計器盤１０の内部に設けられ、車室内に供給される空調風が通過する送風路を構成し、空調風の流れの下流側に向かってベント吹出口側ダクト４２とアッパーベント吹出口側ダクト４１とに分岐しているフェイスダクト４０と、計器盤１０に設けられベント吹出口側ダクト４２を通過する空調風を車室内前席側に向けて吹き出すベント吹出口１１、１２と、計器盤１０に設けられアッパーベント吹出口側ダクト４１を通過する空調風を車室内後席側に向けて吹き出すアッパーベント吹出口１３、１４と、後席乗員の搭乗状態を検知する後席乗員検知手段と、アッパーベント吹出口１３、１４から吹き出される空調風の吹出量を後席乗員数の増減に応じて調整させる風量調整手段とを備える。【選択図】図１
2008149998.tif 000002
【特許請求の範囲】
【請求項１】
車室内前方に配置された計器盤（１０）の内部に設けられ、車室内に供給される空調風が通過する送風路を構成し、前記空調風の流れの下流側に向かってベント吹出口側ダクト（４２）とアッパーベント吹出口側ダクト（４１）とに分岐しているフェイスダクト（４０）と、
前記計器盤（１０）に設けられ、前記ベント吹出口側ダクト（４２）を通過する前記空調風を車室内前席側に向けて吹き出すベント吹出口（１１、１２）と、
前記計器盤（１０）に設けられ、前記アッパーベント吹出口側ダクト（４１）を通過する前記空調風を車室内後席側に向けて吹き出すアッパーベント吹出口（１３、１４）と、
後席乗員の搭乗状態を検知する後席乗員検知手段と、
前記アッパーベント吹出口（１３、１４）から吹き出される前記空調風の吹出量を調整する風量調整手段とを備え、
前記風量調整手段は、前記後席乗員検知手段により後席乗員数の増加が検知された場合に、前記アッパーベント吹出口（１３、１４）から吹き出される前記空調風の吹出量を増大させ、
前記後席乗員検知手段により後席乗員の減少が検知された場合に、前記アッパーベント吹出口（１３、１４）から吹き出される前記空調風の吹出量を減少させることを特徴とする車両用空調装置。
【請求項２】
前記風量調整手段は、前記ベント吹出口（１１、１２）の開口面積を調整する空調風調整ドア（４３）を備え、
前記空調風調整ドア（４３）により前記ベント吹出口（１１、１２）の開口面積を小さくすることで前記アッパーベント吹出口（１３、１４）からの前記空調風の吹出量を増大させ、
前記ベント吹出口（１１、１２）の開口面積を大きくすることで前記アッパーベント吹出口（１３、１４）からの前記空調風の吹出量を減少させることを特徴とする請求項１に記載の車両用空調装置。
【発明の詳細な説明】
【技術分野】
【０００１】
本発明は、車室内を空調制御する車両用空調装置に関する。
【背景技術】
【０００２】
フロントエアコンより後席へ空調風を送風することで、リアエアコンを搭載することなく、後席乗員の空調快適性向上を図るようにした車両用空調装置が知られている（例えば、特許文献１、２）。
【０００３】
この特許文献１に記載の車両用空調装置は、フロントエアコンより後席へ送風される空調風の風量調整は、前後席の室温等により制御を行っている。また、特許文献２に記載の車両用空調装置は、フロントエアコンより後席へ送風される空調風の風量調整は、後席へ空調風が吹き出す吹出口（アッパーベント吹出口）に設けられたグリルを手動で開閉操作する構成となっている。
【特許文献１】特開平６−２４７１３７号公報
【特許文献２】特開２００６−２４０５３９号公報
【発明の開示】
【発明が解決しようとする課題】
【０００４】
しかしながら、上記特許文献１記載の車両用空調装置では、後席乗員に向けて送風する空調風の空調調整を車室内温度等により行うため、後席に搭乗者がいない場合にも、後席に向けて空調風を送風することになり、空調効率が悪くなるという課題がある。
【０００５】
また、上記特許文献２記載の車両用空調装置では、フロントエアコンより後席へ送風される空調風の風量調整は、アッパーベント吹出口に設けられたグリルを手動で開閉操作する必要があり、運転手若しくはその他乗員がグリル操作等を直接操作しなければアッパーベント吹出口からの送風が調整されないという課題がある。
【０００６】
本発明は上記点に鑑み、簡易な構成で車両用空調装置の空調効率および後席乗員の快適性を向上させることを目的とする。
【課題を解決するための手段】
【０００７】
上記目的を達成するため、本発明は、車室内前方に配置された計器盤（１０）の内部に設けられ、車室内に供給される空調風が通過する送風路を構成し、空調風の流れの下流側に向かってベント吹出口側ダクト（４２）とアッパーベント吹出口側ダクト（４１）とに分岐しているフェイスダクト（４０）と、計器盤（１０）に設けられ、ベント吹出口側ダクト（４２）を通過する空調風を車室内前席側に向けて吹き出すベント吹出口（１１、１２）と、計器盤（１０）に設けられ、アッパーベント吹出口側ダクト（４１）を通過する空調風を車室内後席側に向けて吹き出すアッパーベント吹出口（１３、１４）と、後席乗員の搭乗状態を検知する後席乗員検知手段と、アッパーベント吹出口（１３、１４）から吹き出される空調風の吹出量を調整する風量調整手段とを備え、風量調整手段は、後席乗員検知手段により後席乗員数の増加が検知された場合に、アッパーベント吹出口（１３、１４）から吹き出される空調風の吹出量を増大させ、後席乗員検知手段により後席乗員の減少が検知された場合に、アッパーベント吹出口（１３、１４）から吹き出される空調風の吹出量を減少させることを特徴とする。
【０００８】
これにより、乗員が空調風の風量調整することなく、後席の乗員搭乗状態に応じてアッパーベント吹出口（１３、１４）から吹き出す空調風の風量を自動調整することができるため、車両用空調装置の空調効率および後席乗員の快適性を向上させることができる。
【０００９】
また、風量調整手段は、ベント吹出口（１１、１２）の開口面積を調整する空調風調整ドア（４３）を備え、空調風調整ドア（４３）によりベント吹出口（１１、１２）の開口面積を小さくすることでアッパーベント吹出口（１３、１４）からの空調風の吹出量を増大させ、ベント吹出口（１１、１２）の開口面積を大きくすることでアッパーベント吹出口（１３、１４）からの空調風の吹出量を減少させる場合、ベント吹出口側ダクト（４２）に空調風調整ドア（４３）を設ける簡易な構成でアッパーベント吹出口（１３、１４）から吹き出す空調風の風量を調整することができる。
【００１０】
さらに、後席乗員が搭乗していない場合にも、アッパーベント吹出口（１３、１４）から空調風が吹き出されるが、空調風調整ドア（４３）が開放されているため空調風の主流はベント吹出口（１１、１２）から吹き出される。そのため、アッパーベント吹出口（１３、１４）から吹き出される空調風の風量および風速は小さくなり、後席まで吹き出されることなく前席乗員の上半身付近に向けて吹き出すことができ、車両用空調装置の空調効率を向上させることができる。
【００１１】
なお、上記各手段の括弧内の符号は、後述する実施形態に記載の具体的手段との対応関係を示すものである。
【発明を実施するための最良の形態】
【００１２】
（第１実施形態）
以下、本発明の第１実施形態について図１〜図４に基づいて説明する。図１は、本発明の車両用空調装置を有する車両の要部側面図である。
【００１３】
車室内には車両前後方向に３列のシート（フロントシート２、セカンドシート３、サードシート４）が配置されている。セカンドシート３およびサードシート４の座席には、着座センサ５が設けられている。フロントシート２が本発明の前席に相当しており、セカンドシート３およびサードシート４が本発明の後席に相当している。
【００１４】
フロントシート２の前方の車両左右方向全域に計器盤１０（インストルメントパネル）が配置され、計器盤１０の内部には車両用空調装置の室内空調ユニット１が配置されている。着座センサ５については、後で詳述する。
【００１５】
次に、図２は、車両の計器盤１０の斜視図を示している。図２で示すように、計器盤１０には、空調風を車室内前席側に向けて吹き出すベント吹出口１１、１２と空調風を車室内後席側に向けて吹き出すアッパーベント吹出口１３、１４が設けられている。
【００１６】
ベント吹出口１１、１２は、前席に面しており左右一対のセンターベント吹出口１１とサイドベント吹出口１２から構成されている。アッパーベント吹出口１３、１４は、前席の上部空間に面しておりアッパーセンターベント吹出口１３とアッパーサイドベント吹出口１４から構成されている。
【００１７】
計器盤１０の最前部には横長に開口されたデフロスタ吹出口１５が設けられている。また、図示しないが、計器盤１０の下方には前席の足下に面してフット吹出口が設けられている。
【００１８】
図３は、本発明の車両用空調装置の室内空調ユニット１の模式的な断面図である。
【００１９】
まず、室内空調ユニット１は、車室内最前部の計器盤１０内側等に配置されており、外郭部を構成する空調ケース２０を有している。この空調ケース２０の内部には、車室内へ向かって空気が流される空気通路が形成され、空気流れ最上流部には内外気切替箱２１が配置されている。
【００２０】
内外気切替箱２１は、内気導入口２２、外気導入口２３および内外気切替ドア２４を有して構成されている。内気導入口２２は、空調ケース２０内に内気（車室内空気）を導入させる導入口であり、外気導入口２３は、外気（車室外空気）を空調ケース２０内に導入させる導入口である。
【００２１】
内外気切替ドア２４は、内外気切替箱２１の内部に回転自在に配置されており、図示しないサーボモータによって駆動される内外気切替手段である。なお、図３では、内気導入口２２より内気を導入する状態を示しており、内気は矢印Ａに示すように空調ケース２０内に導入される。
【００２２】
内外気切替箱２１の空気流れ下流側には、車室内に向かって空気を送風する電動式の送風機２５が配置されている。送風機２５は、周知の遠心多翼ファン２５ａを電動モータ２５ｂによって回転駆動させて空気を矢印Ｂ方向に送風するものである。送風機２５の空気流れ下流側には、送風空気を冷却する冷却用熱交換器である蒸発器２６が配置されている。
【００２３】
蒸発器２６は、冷凍サイクル（図示せず）を構成する要素の一つであり、周知の如く、蒸発器２６に流入した低圧冷媒が蒸発する際に送風機２５によって送風された送風空気から吸熱して送風空気を冷却するものである。蒸発器２６の下流側には、蒸発器２６通過後の空気（冷風）を加熱するヒータコア２７が配置されている。
【００２４】
ヒータコア２７は、エンジン冷却水を熱源として（エンジン冷却水回路は図示せず。）、蒸発器２６通過後の空気（冷風）を再加熱する加熱用熱交換器である。また、空調ケース２０内部のヒータコア２７の側方には、蒸発器２６通過後の空気（冷風）がヒータコア２７をバイパスして通過するバイパス通路２８が形成されている。
【００２５】
蒸発器２６とヒータコア２７との間には、エアミックスドア２９が配置されている。このエアミックスドア２９は、空調ケース２０内に回転自在に配置されており、図示しないサーボモータによって駆動されて、その回転位置（開度）が連続的に調整できるようになっている。
【００２６】
従って、エアミックスドア２９の開度によって、ヒータコア２７を通過する空気量（矢印Ｃに示す温風量）とバイパス通路２８を通過する空気量（矢印Ｄに示す冷風量）との風量割合が調整される。この温風（矢印Ｃ）と冷風（矢印Ｄ）はヒータコア２７側通路およびバイパス通路２８下流側で混合されて、車室内に吹き出されるので、上記の風量割合の調整によって車室内吹出空気温度が調整される。
【００２７】
空調ケース２０の空気通路の最下流部には、車両の前面窓ガラスに向けて空調風を吹き出すためのデフロスタ開口部３０、前席乗員の上半身および後席乗員に向けて空調風を吹き出すためのフェイス開口部３１、および乗員の足元部に向けて空調風を吹き出すためのフット開口部３２の計３種類の開口部が設けられている。
【００２８】
これら開口部３０〜３２の上流部には、それぞれデフロスタドア３３、フェイスドア３４およびフットドア３５が回転自在に配置されており、これらのドア３３〜３５は、図示しないリンク機構を介して共通のサーボモータ（図示せず）によって開閉操作される。なお、図２では、フェイスドア３４を開放するフェイスモードの状態を示している。
【００２９】
デフロスタ開口部３０は、図示しないデフロスタダクトを介して車両計器盤１０上面のデフロスタ吹出口１５に接続される。フット開口部３２は図示しないフットダクトを介して乗員の足元近傍に配置される図示しないフット吹出口に接続されている。フェイス開口部３１は、フェイスダクト４０を介して、図４（ａ）、（ｂ）に示すベント吹出口１１、１２およびアッパーベント吹出口１３、１４に接続されている。フェイス開口部３１付近の構成については、後で詳述する。
【００３０】
図１に戻り、車両用空調装置には、各種制御を行う制御手段としての制御部１００（ＥＣＵ）が設けられている。制御部１００は、ＣＰＵ、ＲＯＭ、ＲＡＭ、Ｉ／Ｏなどを備えた周知のマイクロコンピュータによって構成され、ＲＯＭなどに記憶されたプログラムに従って各種演算などの処理を実行する。
【００３１】
次に、本実施形態で用いる着座センサ５について詳述する。図１に示すように、制御部１００には、後席シート（セカンドシート３およびサードシート４）に設けられた着座センサ５が接続されている。着座センサ５は、後席に乗員が着座したか否かをそれぞれ個別に判定するための周知のセンサである。着座センサ５が、本発明の後席乗員の搭乗状態を検知する後席乗員検知手段に相当している。
【００３２】
例えば、着座センサ５としては、乗員座席を構成するシートクッション（着座部）内に埋設されて、このシートクッションに上方向から加重が加わると閉じる（すなわち、オンする）常開型スイッチが用いられる。シートクッションは、乗員が着座した際に腰部を支える部材である。
【００３３】
次に、本実施形態で用いる空調ケース２０におけるフェイス開口部３１付近の構成について図４に基づいて詳述する。図４は、図３のＸ部の拡大図であり、フェイス開口部３１の空調風流れ下流側に配置されるフェイスダクト４０を示している。また、図４（ａ）は、後席乗員が搭乗していない場合を示しており、図４（ｂ）は、後席乗員が搭乗している場合を示している。
【００３４】
図４（ａ）、（ｂ）に示すように、フェイス開口部３１は、フェイスダクト４０が接続されている。フェイスダクト４０は、その下流側でベント吹出口側ダクト４２とアッパーベント吹出口側ダクト４１に分岐している。ベント吹出口側ダクト４２は、車両の計器盤１０における乗員正面に配置されたベント吹出口１１、１２に接続されており、アッパーベント吹出口側ダクト４１は、計器盤１０におけるベント吹出口１１、１２の上方に配置されたアッパーベント吹出口１３、１４に接続されている。
【００３５】
ベント吹出口１１、１２は、ベント吹出口側ダクト４２を通過する空調風を車室内前席乗員の上半身側に向けて吹き出すように構成されており、アッパーベント吹出口１３、１４は、アッパーベント吹出口側ダクト４１を通過する空調風を前席の上方を介して車室内後席の上方に向けて吹き出すように構成されている。
【００３６】
ベント吹出口側ダクト４２内には、空調風調整ドア４３が設けられている。空調風調整ドア４３は、ベント吹出口側ダクト４２内に回転自在に配置されており、図示しないサーボモータによって駆動されて、回転位置（開度）を調整することで、ベント吹出口１１、１２の開口面積を調整することができる。ここで、本実施形態の空調風調整ドア４３は、図４に示すように板ドアで構成している。
【００３７】
空調風調整ドア４３の開度を調整することによって、アッパーベント吹出口１３、１４から吹き出される空調風の吹出量とベント吹出口１１、１２から吹き出される空調風の吹出量の風量割合を調整することができる。
【００３８】
前述のように、フェイスダクト４０は、その下流側でベント吹出口側ダクト４２とアッパーベント吹出口側ダクト４１に分岐しており、フェイスダクト４０を流れる空調風は、ベント吹出口側ダクト４２とアッパーベント吹出口側ダクト４１に分流する。そのため、空調風調整ドア４３によりベント吹出口１１、１２の開口面積を小さくすることで、アッパーベント吹出口１３、１４で吹き出される空調風の吹出量が増加する。ベント吹出口１１、１２の開口面積を大きくすることで、アッパーベント吹出口１３、１４で吹き出される空調風の吹出量が減少する関係にある。
【００３９】
ここで、空調風は、主にベント吹出口１１、１２から吹き出され、アッパーベント吹出口１３、１４はいわば補助的な吹出口として利用される。そのため、後席乗員が搭乗していない通常時においては、ベント吹出口１１、１２の開口面積は、アッパーベント吹出口１３、１４の開口面積より大きい開口面積となっている。また、空調風調整ドア４３は、ベント吹出口側ダクト４２に設けられているため、アッパーベント吹出口１３、１４は、空調風調整ドア４３の開度にかかわらず常時開口しており、空調風が吹き出されている。
【００４０】
サーボモータは、制御部１００により着座センサ５の情報に基づいて制御され、空調風調整ドア４３の回転位置の調整が行われる。例えば、後席乗員が搭乗している場合には、後席側により多くの空調風を吹き出すため、ベント吹出口１１、１２の開口面積を小さくする位置に空調風調整ドア４３を回転させ、アッパーベント吹出口１３、１４から吹き出す空調風の風量および風速を増加させる。
【００４１】
本実施形態に係る車両空調装置の主要な動作を説明する。
【００４２】
車両用空調装置の始動スイッチ（Ａ／Ｃスイッチ）がオンされると、車両用空調装置が稼働する。ここで、車両用空調装置は、空調風をベント吹出口１１、１２およびアッパーベント吹出口１３、１４から吹き出すフェイスモードに設定されているものとする。
【００４３】
制御部１００は、後席乗員の搭乗状態を着座センサ５で検知し、後席乗員が搭乗しているか否かを判定する。室内空調ユニット１で生成される空調風が、フェイス開口部３１から計器盤１０内部のフェイスダクト４０に導かれ、空調風調整ドア４３の開度により配分される。
【００４４】
着座センサ５による検知結果により後席乗員が搭乗していないと判定された場合、空調風調整ドア４３は、ベント吹出口１１、１２からより多くの空調風を吹き出すために、開度がベント吹出口１１、１２の開口面積を後席乗員がいる場合と比較して大きくなるように調整される（図４（ａ）の状態）。
【００４５】
空調風は、ベント吹出口１１、１２から前席の乗員に向けて吹き出される。アッパーベント吹出口１３、１４からも同時に空調風が吹き出されるが、空調風調整ドア４３が開放されているため空調風の主流は開口面積が大きいベント吹出口１１、１２から吹き出される（図４（ａ）の状態）。また、アッパーベント吹出口１３、１４から吹き出す空調風は、風量および風速が小さくなるため、前席乗員の頭部付近に向けて吹き出される。
【００４６】
これにより、後席乗員が搭乗していない場合に、空調風の主流はベント吹出口１１、１２から吹き出される。また、アッパーベント吹出口１３、１４から空調風が吹き出されるが、アッパーベント吹出口１３、１４から吹き出される空調風は、後席乗員がいる場合と比較して風量および風速が小さいため、後席まで送風されることなく前席乗員の頭部付近に向けて送風することができる。そのため、車両用空調装置の空調効率を向上させることができる。
【００４７】
着座センサ５による検知結果により後席乗員が搭乗していると判定された場合、空調風調整ドア４３は、アッパーベント吹出口１３、１４からより多くの空調風を吹き出すために、開度がベント吹出口１１、１２の開口面積を後席乗員がいない場合と比較して小さくなるように調整される（図４（ｂ）の状態）。
【００４８】
空調風は、ベント吹出口１１、１２から前席の乗員に向けて吹き出されるが、空調風調整ドア４３によりベント吹出口１１、１２の開口面積が小さくなっているため、ベント吹出口１１、１２から吹き出される空調風の風量は小さくなる。
【００４９】
また、アッパーベント吹出口１３、１４からも同時に空調風が吹き出されるが、ベント吹出口１１、１２の開口面積が小さくなっている。そのため、アッパーベント吹出口１３、１４から吹き出される空調風は、後席乗員がいない場合と比較して風量および風速が大きくなり、前席の上方に向けて吹き出される（図４（ｂ）の状態）。
【００５０】
これにより、後席乗員が搭乗している場合には、簡易な構成でアッパーベント吹出口１３、１４から後席乗員に向けて空調風が吹き出されるため、車両用空調装置の空調効率および後席乗員の快適性を向上させることができる。
【００５１】
以上のように、後席の乗員搭乗状態を着座センサ５により検知し、検知結果によりアッパーベント吹出口１３、１４から吹き出す空調風の風量を、ベント吹出口側ダクト４２に設けられた空調風調整ドア４３の開度によりを調整することができるため、簡易な構成で車両用空調装置の空調効率および後席乗員の快適性を向上させることができる。
【００５２】
（第２実施形態）
次に、本発明の第２実施形態について図５に基づいて説明する。本第２実施形態では、上記第１実施形態と異なる部分についてのみ説明する。
【００５３】
本第２実施形態では、上記第１実施形態で示した車両用空調装置に、後席側吹出アシストファン５０を設ける構成としている。
【００５４】
図５は、本発明の本実施形態に係る車両用空調装置であって後席側吹出アシストファン５０を設けた車両の要部側面図である。室内空調ユニット１の下方には、図示しない後席用開口部が設けられている。後席用開口部は、車両後席側へと空調風を通過させるリアダクト５１と接続されている。ここで、リアダクト５１は、空調風が通過する送風路を構成している。
【００５５】
リアダクト５１は、室内空調ユニット１を通過したことで圧損により減衰した風量を再び増加させる後席側吹出アシストファン５０の吸込口に接続されている。後席側吹出アシストファン５０の送風出口は、セカンドシート側ダクト５２およびサードシート側ダクト５３に接続されている。セカンドシート側ダクト５２の末端にはセカンドシート側吹出口５４が設けられ、サードシート側ダクト５３の末端にはサードシート側吹出口５５が設けられている。
【００５６】
上記構成において、アッパーベント吹出口１３、１４およびベント吹出口１１、１２から吹き出される空調風については、上記第１実施形態同様に前席乗員および後席乗員に向かって吹き出される。
【００５７】
同時に、後席用開口部通過する空調風は、リアダクト５１を通過してリアダクト５１内に設けられた後席側吹出アシストファン５０の吸込口に吸込まれる。その後、空調風は、後席側吹出アシストファン５０の送風出口からセカンドシート側ダクト５２の末端に設けられたセカンドシート側吹出口５４から吹き出され、サードシート側ダクト５３の末端に設けられたサードシート側吹出口５５から吹き出される。
【００５８】
これにより、アッパーベント吹出口１３、１４から後席乗員に向かって吹き出される空調風、セカンドシート側吹出口５４およびサードシート側吹出口５５から後席乗員に向かって吹き出される空調風により、後席乗員へより多くの空調風を配風することができ、後席乗員の快適性を向上させることができる。
【００５９】
（他の実施形態）
上記各実施形態では、空調風調整ドア４３をベント吹出口側ダクト４２に設け、ベント吹出口１１、１２からの空調風の吹出量とアッパーベント吹出口１３、１４からの空調風の吹出量との風量割合を調整する構成としているが、少なくともアッパーベント吹出口１３、１４から吹き出される空調風の吹出量を調整することができればよく、空調風調整ドア４３をベント吹出口側ダクト４２以外の位置に設けてもよい。
【００６０】
また、アッパーベント吹出口１３、１４から吹き出される空調風の吹出量を調整する風量調整手段である空調風調整ドア４３は、板ドアで構成しているが、これに限られず異なる種類の調整ドアを用いてもよい。例えば、ロータリ式ドア等を風量調整手段としてもよい。
【００６１】
また、空調風調整ドア４３をセンターベント吹出口１１側およびサイドベント吹出口１２側の双方のベント吹出側ダクト４２内に設け、センターベント吹出口１１およびサイドベント吹出口１２の開口面積を調整しているが、センターベント吹出口１１側のベント吹出側ダクト４２にのみ空調風調整ドア４３を設ける構成としてもよい。
【００６２】
また、上記第１実施形態では、後席乗員の搭乗状態を検知する後席乗員検知手段として着座センサ５を採用しているが、本発明はこれに限られず、後席乗員の搭乗状態を検知する赤外線センサ、後席側の音声により後席乗員の搭乗状態を検知する音声取得手段、後席乗降用ドアの開閉により後席乗員の搭乗の有無を検知するドア開閉検知手段、後席乗員の映像により後席乗員の搭乗の有無を検知する映像取得手段等を後席乗員検知手段に用いてもよい。
【００６３】
また、上記第１実施形態では、後席乗員の搭乗の有無によりアッパーベント吹出口１３、１４から吹き出す空調風の吹出量を調整しているが、後席乗員の搭乗人数が増加した場合、アッパーベント吹出口１３、１４から吹き出す空調風の吹出量を増加させ、後席乗員の搭乗人数が減少した場合、アッパーベント吹出口１３、１４から吹き出す空調風の吹出量を減少させるように空調風の吹出量を調整してもよい。後席乗員の搭乗人数が多く、乗員の体温等により車室内の温度が上昇しやすい場合に有効である。
【００６４】
また、上記各実施形態の車両用空調装置は、前後方向に３列シートを有する車両に適用しているが、２列シートを有する車両や４列シート以上を有する車両にも適用可能である。
【図面の簡単な説明】
【００６５】
【図１】上記第１実施形態の車両用空調装置を有する車両の要部側面図である。
【図２】上記第１実施形態の車両の計器盤の斜視図である。
【図３】上記第１実施形態の車両用空調装置の室内空調ユニットの断面図である。
【図４】図３のＸ部拡大図である。
【図５】上記第２実施形態の車両用空調装置を有する車両の要部側面図である。
【符号の説明】
【００６６】
１…室内空調ユニット、２…フロントシート、３…セカンドシート、４…サードシート、５…着座センサ、１０…計器盤、１１…センターベント吹出口、１２…サイドベント吹出口、１３…アッパーセンターベント吹出口、１４…アッパーサイドベント吹出口、４０…フェイスダクト、４１…アッパーベント吹出口側ダクト、４２…ベント吹出口側ダクト、４３…空調風調整ドア、５０…後席側吹出アシストファン、５１…リアダクト、１００…制御部。
【図１】
2008149998.tif 000003
【図２】
2008149998.tif 000004
【図３】
2008149998.tif 000005
【図４】
2008149998.tif 000006
【図５】
2008149998.tif 000007